(57)【要約】【課題】風呂の追い焚きを停止させる風呂サーミスタが故障しても、安全に追い焚きを停止させることが出来る給湯風呂装置を提供する。【解決手段】１つのバーナ２で加熱する１缶２水路方式の熱交換缶体１を備えると共に、この風呂循環回路４には循環ポンプ１１と風呂が設定温度に沸き上がったことを検知する風呂サーミスタ１２を設け、更に風呂用熱交換パイプ５近傍の給湯用熱交換パイプ７には、風呂追い焚き単独使用時に給湯用熱交換パイプ７の温度を検知してバーナ２の燃焼制御を行う熱交サーミスタ１７を備え、前記風呂追い焚き運転が所定時間以上継続した場合は、循環ポンプ１１は継続駆動させたまま一旦燃焼のみ停止させた後、一定時間経過後の熱交サーミスタ１７の検知温度に応じて、追い焚き運転の継続か中止を決定することで、常に安心して使用出来るものである。【選択図】  図３
2009162446.tif 000002
【特許請求の範囲】
【請求項１】
風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂追い焚き単独使用時に給湯用熱交換パイプの温度を検知してバーナの燃焼制御を行う熱交サーミスタを備え、前記風呂追い焚き運転が所定時間以上継続した場合は、循環ポンプは継続駆動させたまま一旦燃焼のみ停止させた後、一定時間経過後の熱交サーミスタの検知温度に応じて、追い焚き運転の継続か中止を決定することを特徴とする給湯風呂装置。
【発明の詳細な説明】
【技術分野】
【０００１】
この発明は、風呂の追い焚き機能と給湯機能とを有した１缶２水路方式の給湯風呂装置に関するものである。
【背景技術】
【０００２】
従来よりこの種のものでは、風呂の連続加熱制限時間を湯量と風呂の設定温度から算出し、連続加熱制限時間を経過した場合は、風呂サーミスタの故障として追い焚きを停止して異常加熱を防止するものであった。（例えば、特許文献１参照。）
【特許文献１】特許第３６９８３３７号公報
【発明の開示】
【発明が解決しようとする課題】
【０００３】
ところでこの従来のものでは、風呂の湯量を計測出来ない機種では適応出来ず、又途中で差し湯や差し水或いは風呂の蛇口からの補水等で湯量が変化している場合には、誤動作することとなり、確実に風呂サーミスタの故障を検知出来ないと言う課題を有するものであった。
【課題を解決するための手段】
【０００４】
この発明はこの点に着目し上記欠点を解決する為、特にその構成を、風呂の追い焚き用の風呂循環回路と、温水給湯用の給湯回路のそれぞれの熱交換パイプを同一のフィンを貫通させ、１つのバーナで加熱する１缶２水路方式の熱交換缶体を備えると共に、この風呂循環回路には循環ポンプと風呂が設定温度に沸き上がったことを検知する風呂サーミスタを設け、更に風呂用熱交換パイプ近傍の給湯用熱交換パイプには、風呂追い焚き単独使用時に給湯用熱交換パイプの温度を検知してバーナの燃焼制御を行う熱交サーミスタを備え、前記風呂追い焚き運転が所定時間以上継続した場合は、循環ポンプは継続駆動させたまま一旦燃焼のみ停止させた後、一定時間経過後の熱交サーミスタの検知温度に応じて、追い焚き運転の継続か中止を決定するようにしたものである。
【発明の効果】
【０００５】
この発明によれば、風呂の追い焚き運転が所定時間以上継続することで、先ず風呂サーミスタの故障を疑い、一旦燃焼を停止した後、一定時間経過で雰囲気温度の安定を待ってから、熱交サーミスタの検知温度が沸き上げ設定温度＋２℃以上の場合は、風呂サーミスタの故障と判断して追い焚きを停止し、又沸き上げ設定温度＋２℃未満の場合は、風呂サーミスタの故障ではないとして追い焚きを再開させるもので、予め熱交サーミスタの検知温度値に対する風呂サーミスタ検知温度値を算出しておくことにより、新たなセンサを設けることなく、バーナ制御用の熱交サーミスタを利用して確実に検知出来、燃焼の継続を阻止して安全性の向上を図ることが出来、常に安心して使用出来るものである。
【発明を実施するための最良の形態】
【０００６】
次にこの発明の一実施形態を図示した給湯風呂装置に基づいて説明する。
１は下方に備えられた灯油を燃料とするバーナ２の燃焼熱で加熱される熱交換缶体で、複数の同一フィン３に風呂循環回路４の一部を構成する風呂用熱交換パイプ５と、温水給湯用の給湯回路６の一部を構成する給湯用熱交換パイプ７とがそれぞれ貫通して備えられている。
【０００７】
前記風呂循環回路４は浴槽８と風呂用熱交換パイプ５とを連通する往き管９と戻り管１０とで構成され、前記往き管９には循環ポンプ１１と、浴槽水の温度を検知し設定の沸き上げ温度を検知することで追い焚き運転を停止させる風呂サーミスタ１２とが設けられている。
【０００８】
１３は給湯回路６の給水側から分岐したバイパス管１４からの給水と、該給湯用熱交換パイプ７の通過後の温水とを混合するミキシング弁で、下流側に備えられた給湯サーミスタ１５による給湯検知温度と給湯設定温度からミキシング流量を調節して設定温度の給湯を行うもので、この給湯サーミスタ１５は給湯検知温度と給湯設定温度をマイコンから成る給湯制御部１６に入力し、バーナ２の燃焼を制御するようにしているものである。
【０００９】
１７は風呂用熱交換パイプ５近傍の給湯用熱交換パイプ７に備えられた熱交サーミスタで、風呂単独使用に給湯制御部１６を介してバーナ２の燃焼を制御するもので、熱交サーミスタ１７が６０℃未満検知では１００００ｋｃａｌ／ｈの燃焼とし、６０℃以上７０℃未満では８０００ｋｃａｌ／ｈの燃焼とし、７０℃以上８０℃未満では５０００ｋｃａｌ／ｈの最小燃焼量とし、８０℃以上では一旦休止し、温度低下すれば再燃焼するように制御して、給湯用熱交換パイプ７に残留する給湯水が高温状態となることを防止するものである。
【００１０】
そして通常時追い焚き運転のバーナ２の燃焼停止や循環ポンプ１１の駆動停止は、上記した風呂サーミスタ１２が浴槽水温度がリモコンＡで設定された設定温度に達したことを、検知することにより行われるものであるが、万一この風呂サーミスタ１２が故障した場合には、追い焚き運転がいつまで経っても終了せずに継続され浴槽水が高温状態となる危険があるので、ここでは追い焚き運転時間を給湯制御部１６がカウントして、１０分以上経過しても終了しない時には、風呂サーミスタ１２の故障を疑って、熱交サーミスタ１７の検知温度から浴槽水温度を試算して、追い焚き運転の中止及び継続を決定するものであり、熱交サーミスタ１７を利用しての故障検知及び異常燃焼の防止が容易に行われるものである。
【００１１】
次にこの一実施形態の作動について図３に示すフローチャートで説明すれば、今風呂単独使用時では、ステップ１８で風呂循環回路４の循環ポンプ１１が駆動されることで、浴槽８内の浴槽水が循環され、風呂用熱交換パイプ５ではステップ１９でバーナ２の燃焼が開始され、このバーナ２の燃焼熱で浴槽水は順次加熱されるものであり、更にステップ２０では追い焚き運転の開始からの時間をカウントし、１０分以上経過するかを判定するもので、今は運転開始したばかりでありＮＯとなりステップ２１に進ものである。
【００１２】
そしてステップ２１では、熱交サーミスタ１７による給湯水の検知温度が６０℃未満かを検知し、ＹＥＳではステップ２２に進みバーナ２を１００００ｋｃａｌ／ｈで燃焼させるもので、ＮＯではステップ２３に進んで熱交サーミスタ１７の検知温度が６０℃以上７０℃未満かを判断し、ＹＥＳでステップ２４でバーナ２を８０００ｋｃａｌ／ｈで燃焼させ、ＮＯではステップ２５に進み熱交サーミスタ１７の検知温度が７０℃以上８０℃未満かを判断し、ＹＥＳでステップ２６でバーナ２を５０００ｋｃａｌ／ｈで燃焼させ、ＮＯではステップ２７に進み熱交サーミスタ１７の検知温度が８０℃以上かを判断し、ＹＥＳでステップ２８に進んでバーナ２の燃焼を一旦休止させる。
【００１３】
更に上記ステップ２８の次及びステップ２２、２４、２６の次にはステップ２９に進み風呂サーミスタ１２が設定温度を検知したかを判断し、ＹＥＳではステップ３０に進んで追い焚き運転を停止させる為に、循環ポンプ１１を停止させると共にバーナ２の燃焼も停止させるもので、ステップ２９でＮＯ及びステップ２７でＮＯではステップ２０に戻るものである。
【００１４】
一方ステップ２０では、追い焚き開始してから１０分経過しても追い焚きが終了しないとＹＥＳとなり、ステップ３１に進んで一旦追い焚きの燃焼は停止させるが、循環ポンプ１１は継続して駆動させ、次にステップ３２に進み一定時間ここでは３０秒経過したかを判断し、ＹＥＳでステップ３３に進んで熱交サーミスタ１７の検知温度が、リモコンＡで設定され給湯制御部１６に記憶された沸き上げ設定温度＋２℃以上かを判断し、ＹＥＳではステップ３４で風呂サーミスタ１２の故障と判断して継続駆動している循環ポンプ１１を停止させて、追い焚き運転を中止させると共に風呂サーミスタ１２の故障を表示部に表示するものであり、又ＮＯではステップ３５で熱交サーミスタ１７の検知温度が、リモコンＡで設定され給湯制御部１６に記憶された沸き上げ設定温度＋２℃未満かを判断し、ＹＥＳで正常と判断してステップ１９に戻るものである。
【００１５】
従って、所定時間追い焚き後の熱交サーミスタ１７の検知温度状態によって、風呂サーミスタ１２の故障を検知出来るものであり、予め熱交サーミスタ１７の検知温度値に対する風呂サーミスタ１２検知温度値を算出しておくことにより、新たなセンサを設けることなく、バーナ２制御用の熱交サーミスタ１７を利用して確実に検知出来、燃焼の継続を阻止して安全性の向上を図ることが出来、常に安心して使用出来るものである。
【図面の簡単な説明】
【００１６】
【図１】この発明の一実施形態を示す給湯風呂装置の概略説明図。
【図２】同電気回路の要部ブロック図。
【図３】同要部のフローチャート。
【符号の説明】
【００１７】
１  熱交換缶体
２  バーナ
３  フィン
４  風呂循環回路
５  風呂用熱交換パイプ
６  給湯回路
７  給湯用熱交換パイプ
１１  循環ポンプ
１２  風呂サーミスタ
１７  熱交サーミスタ
【図１】
2009162446.tif 000003
【図２】
2009162446.tif 000004
【図３】
2009162446.tif 000005